(57)【要約】【課題】スピーカーボックスの薄型化及び表示器の取付が容易であり、設置面積を少なくすることが可能な表示装置を提供する。【解決手段】表示器１の両側に位置する縦長スピーカーボックス２、２の背面に梁部３、３が固定ボルト５、５、・・を用いて螺着されている。表示器１は、梁部３、３の中央部に取付ボルト６、６、・・を用いて螺着される。これらにより表示器１は、設置面から離間した状態で支持される。スピーカーボックス２、２の背面から突出する固定ボルト５、５、・・の頭部及び梁部３、３の両端部を覆うように裏蓋４、４が、スピーカーボックス２、２の背面に設けられている。【選択図】図２
2008098779.tif 000002
【特許請求の範囲】
【請求項１】
薄型の表示器を支持するスピーカーボックスを備える表示装置において、
前記表示器の両側に位置する縦長スピーカーボックスと、
該スピーカーボックスの背面に設けられており、前記表示器を設置面から離間した状態で支持する表示器支持部と
を備えていることを特徴とする表示装置。
【請求項２】
前記表示器支持部は、前記スピーカーボックスの背面に螺着された梁部を備えることを
特徴とする請求項１に記載の表示装置。
【請求項３】
前記スピーカーボックスは、背面に複数のネジ孔が縦線上に形成されており、前記梁部が螺着されていることを
特徴とする請求項２に記載の表示装置。
【請求項４】
前記梁部は、互いに略平行となるよう複数設けられており、棚部が取付けられていることを
特徴とする請求項２又は３に記載の表示装置。
【請求項５】
前記表示器は、前記梁部の中央部に螺着されていることを特徴とする請求項２及至４のいずれか１つに記載の表示装置。
【請求項６】
前記スピーカーボックスの背面に、裏蓋が設けられていることを
特徴とする請求項１及至５のいずれか１つに記載の表示装置。
【請求項７】
前記裏蓋は、
前記スピーカーボックスの背面に螺着されている梁部及び形成されている複数のネジ孔を覆うように設けられており、
前記梁部が螺着されていない前記複数のネジ孔の開口周縁に、気密に当接する弾性部材を備えていることを
特徴とする請求項６に記載の表示装置。
【請求項８】
前記裏蓋は、ケーブル挿通孔を備えることを特徴とする請求項６又は７に記載の表示装置。
【請求項９】
首振り部を備えていることを特徴とする請求項１及至８のいずれか１つに記載の表示装置。
【請求項１０】
前記首振り部は、
前記表示器の両側に位置する前記スピーカーボックスの底面からそれぞれ鉛直下方向に延びる軸部と、
該軸部と遊嵌すべき、軸部間距離を直径とする平面視略円弧状の案内孔が首振り動作の中心の対称位置にそれぞれ形成されており、前記スピーカーボックスの底面の下側に設けられた台座板部と、
該台座板部上に前記スピーカーボックスの底面を支持するように設けられた面支持球と
で構成されることを特徴とする請求項９に記載の表示装置。
【発明の詳細な説明】
【技術分野】
【０００１】
本発明は、表示器を支持する一対のスピーカーボックスを備える表示装置に関する。
【背景技術】
【０００２】
表示器の表示面サイズの大型化と共に、音質向上のためにスピーカーボックスの大型化が要求されている。大型化に伴う設置面積の増大を抑えるために、縦長形状のスピーカーボックスが広く用いられている。大型の表示器は、専用の表示器スタンドに設置される。ところが、この専用の表示器スタンドは重量及び設置面積の増大を招いている。そこで、表示器の両側に縦長スピーカーボックスを配置し、スピーカーボックスに直接、表示器を取付けることにより、表示器スタンドを廃止した表示装置の発明が開示されている（特許文献１参照）。
【特許文献１】特開２００５ー１７５７７１号公報
【発明の開示】
【発明が解決しようとする課題】
【０００３】
しかしながら特許文献１に記載された表示装置は、スピーカーボックスの側面に表示器を取付けるため、表示器の奥行き方向の寸法に所定の寸法を加えた奥行きの寸法を有したスピーカーボックスが必要となる。よって、スピーカーボックスの奥行き方向の寸法の削減、換言すれば薄型化に限界があるという問題がある。
【０００４】
また、特許文献１に記載された表示装置ではスピーカーボックスに凹部を設けて表示器を支持するため、複雑な構造が必要であり、表示器の着脱が容易ではないという問題がある。また、ユーザが表示器の画面を正面視するために、画面の左右角度を変える場合に必要となる表示器の首振り機構を備えていないという問題もある。
【０００５】
本発明は斯かる事情に鑑みてなされたものであり、表示器の両側に位置する縦長スピーカーボックスの背面に表示器支持部を設けることにより、特許文献１に記載されたスピーカーボックスの側面に表示器支持部が設けられた表示装置と比較して、スピーカーボックスの薄型化及び表示器の取付が容易であり、設置面積を少なくすることが可能な表示装置を提供することを目的とする。
【０００６】
また本発明の他の目的は、表示器支持部はスピーカーボックスの背面に螺着された梁部を備えることにより、スピーカーボックスの側面に凹部を設けることなく、簡単な構造で表示器をスピーカーボックスに取付けることが可能な表示装置を提供することにある。
【０００７】
さらに本発明の他の目的は、梁部が螺着されるネジ孔がスピーカーボックスの背面の縦線上に複数形成されることにより、表示器の設置面からの高さを容易に変更可能とする表示装置を提供することにある。
【０００８】
さらに本発明の他の目的は、複数の梁部を互いに略平行に設けることにより、スピーカーボックス及び表示器に接続される機器が載置できる棚部を取付けることが可能な表示装置を提供することにある。
【０００９】
さらに本発明の他の目的は、表示器を梁部の中央部に螺着させることにより、表示器を容易に着脱可能な表示装置を提供することにある。
【００１０】
さらに本発明の他の目的は、スピーカーボックスの背面に裏蓋を設けることにより、意匠上好ましい外観を有する表示装置を提供することにある。
【００１１】
さらに本発明の他の目的は、スピーカーボックスの背面に設けられた複数のネジ孔のうち、梁部が螺着されていない複数のネジ孔の開口周縁に、気密に当接する弾性部材を裏蓋に設けることにより、スピーカーボックスの背面に設けられた複数のネジ孔がスピーカーボックスの音質に与える影響を抑えることができる表示装置を提供することにある。
【００１２】
さらに本発明の他の目的は、ケーブル挿通孔を裏蓋に設けることにより、ケーブルをスピーカーボックスの背面に設けられた裏蓋内に配設し、意匠上好ましい外観を有する表示装置を提供することにある。
【００１３】
さらに本発明の他の目的は、首振り部を設けることで表示器の首振り動作が可能である表示装置を提供することにある。
【００１４】
さらに本発明の他の目的は、首振り部が表示器の両側に位置するスピーカーボックスの底面からそれぞれ鉛直下方向に延びる軸部と、軸部と遊嵌すべき、軸部間距離を直径とする平面視略円弧状の案内孔が首振り動作の中心の対称位置にそれぞれ形成されており、スピーカーボックスの底面の下側に設けられた台座板部と、台座板部上にスピーカーボックスの底面を支持するように設けられた面支持球とで構成されることにより、スピーカーボックスと表示器が一体となってスムーズな首振り動作を可能とする表示装置を提供することにある。
【課題を解決するための手段】
【００１５】
本発明に係る表示装置は、薄型の表示器を支持するスピーカーボックスを備える表示装置において、前記表示器の両側に位置する縦長スピーカーボックスと、該スピーカーボックスの背面に設けられており、前記表示器を設置面から離間した状態で支持する表示器支持部とを備えていることを特徴とする。
【００１６】
本発明にあっては、表示器の両側に位置する縦長スピーカーボックスの背面に表示器支持部が設けられており、表示器は表示器支持部によって設置面から離間した状態で支持される。
【００１７】
本発明に係る表示装置は、前記表示器支持部は、前記スピーカーボックスの背面に螺着された梁部を備えることを特徴とする。
【００１８】
本発明にあっては、表示器支持部はスピーカーボックスの背面に設けられた梁部に螺着される。
【００１９】
本発明に係る表示装置は、前記スピーカーボックスは、背面に複数のネジ孔が縦線上に形成されており、前記梁部が螺着されていることを特徴とする。
【００２０】
本発明にあっては、スピーカーボックスの背面の縦線上に形成された複数のネジ孔に梁部が螺着される。
【００２１】
本発明に係る表示装置は、前記梁部は、互いに略平行となるよう複数設けられており、棚部が取付けられていることを特徴とする。
【００２２】
本発明にあっては、梁部は互いに略平行となるよう複数設けられ、梁部に棚部が取付けられる。
【００２３】
本発明に係る表示装置は、前記表示器は、前記梁部の中央部に螺着されていることを特徴とする。
【００２４】
本発明にあっては、表示器は、梁部の中央部に螺着される。
【００２５】
本発明に係る表示装置は、前記スピーカーボックスの背面に、裏蓋が設けられていることを特徴とする。
【００２６】
本発明にあっては、スピーカーボックスの背面に螺着された梁部を覆うように裏蓋が設けられている。
【００２７】
本発明に係る表示装置は、前記裏蓋は、前記スピーカーボックスの背面に螺着されている梁部及び形成されている複数のネジ孔を覆うように設けられており、前記梁部が螺着されていない前記複数のネジ孔の開口周縁に、気密に当接する弾性部材を備えていることを特徴とする。
【００２８】
本発明にあっては、裏蓋に設けられた弾性部材は、スピ−カーボックスの背面に形成された複数のネジ孔のうち、梁部が螺着されていない複数のネジ孔の開口周縁に気密に当接する。これにより、スピーカーボックス内の空洞の気密性が維持される。
【００２９】
本発明に係る表示装置は、前記裏蓋は、ケーブル挿通孔を備えることを特徴とする。
【００３０】
本発明にあっては、裏蓋はケーブル挿通孔を備え、スピーカーボックス及び表示器に接続されるケーブルは裏蓋内に配設される。
【００３１】
本発明に係る表示装置は、首振り部を備えていることを特徴とする。
【００３２】
本発明にあっては、首振り部を備えることにより表示器及びスピーカーボックスが一体となって首振り動作が行われる。
【００３３】
本発明に係る表示装置は、前記首振り部は、前記表示器の両側に位置する前記スピーカーボックスの底面からそれぞれ鉛直下方向に延びる軸部と、該軸部と遊嵌すべき、軸部間距離を直径とする平面視略円弧状の案内孔が首振り動作の中心の対称位置にそれぞれ形成されており、前記スピーカーボックスの底面の下側に設けられた台座板部と、該台座板部上に前記スピーカーボックスの底面を支持するように設けられた面支持球とで構成されることを特徴とする。
【００３４】
本発明にあっては、スピーカーボックスの底面の下側に台座板部が設けられており、台座板部には首振り動作の中心の対称位置に軸部間距離を直径とする平面視略円弧状の案内孔が設けられている。表示器の両側に位置するスピーカーボックスの底面からそれぞれ鉛直下方向に延びる軸部が、案内孔に遊嵌し、スピーカーボックスの底面は、台座板部上に設けられた面支持球で支持される。
【発明の効果】
【００３５】
本発明にあっては、表示器は、表示器の両側に位置する縦長スピーカーボックスの背面に設けられた表示器支持部によって設置面から離間した状態で支持されるため、スピーカーボックスの薄型化が可能となる。また、表示器と設置面の間に、棚部等を設けることができる。
【００３６】
本発明にあっては、表示器を支持する表示器支持部がスピーカーボックスの背面に螺着された梁部を備えるため、表示器を確実に支持することが可能となる。
【００３７】
本発明にあっては、スピーカーボックスの背面の縦線上に形成された複数のネジ孔に梁部が螺着されるため、表示器が螺着される梁部の設置面からの高さを容易に変えることができる。
【００３８】
本発明にあっては、梁部は互いに略平行となるよう複数設けられ、梁部に棚部が取付けられるため、表示器及びスピーカーボックスに接続される機器を載置可能となる。
【００３９】
本発明にあっては、表示部は梁部の中央部に螺着されているため、表示器の着脱が容易となる。
【００４０】
本発明にあっては、梁部が螺着されたスピーカーボックスの背面は裏蓋によって覆われるため、意匠上好ましい外観が得られる。
【００４１】
本発明にあっては、裏蓋に設けられた弾性部材は、梁部が螺着されていない複数のネジ孔の開口周縁に気密に当接し、スピーカーボックス内の空洞の気密性が維持される。これにより、複数のネジ孔を設けたことによるスピーカーボックスの音質に与える影響が抑えられる。
【００４２】
本発明にあっては、裏蓋は、ケーブル挿通孔を備え、スピーカーボックス及び表示器に接続されるケーブルは裏蓋内に配設されるため、意匠上好ましい外観が得られる。
【００４３】
本発明にあっては、首振り部を備えるため、表示器及びスピーカーボックスが一体となって首振り動作を行うことが可能となる。
【００４４】
本発明にあっては、スピーカーボックスの底面の下側に台座板部が設けられており、台座板部には首振り動作の中心の対称位置に軸部間距離を直径とする平面視略円弧状の案内孔が設けられている。表示器の両側に位置するスピーカーボックスの底面からそれぞれ鉛直下方向に延びる軸部が、案内孔に遊嵌し、スピーカーボックスの底面は、台座板部上に設けられた面支持球で支持される。これによりスピーカーボックスと表示器が一体となってスムーズに首振り動作が行われる等、本発明は優れた効果を奏する。
【発明を実施するための最良の形態】
【００４５】
実施の形態１
以下、本発明をその実施の形態を示す図面を参照して具体的に説明する。図１は表示装置の正面を示す模式的斜視図である。図２は表示装置の背面を示す模式的斜視図、図３は図２の III−III 線における模式的構造断面図であり、図２の裏蓋を外した状態を示す。
【００４６】
図１において２、２は、縦長角柱形状をなすスピーカーボックスであり、互いに所定の距離を隔てて設置されている。表示器１は、表示面の幅及び高さの寸法に対して奥行きの寸法が小さい薄型ディスプレイであり、例えば液晶ディスプレイ又はプラズマディスプレイである。スピーカーボックス２、２の高さ寸法は、表示器１の高さ寸法よりも長くなるように形成されている。スピーカーボックス２、２の背面には、設置面と略平行に延びる梁部３、３が上下に所定の間隔を隔てて螺着されている（図２参照）。梁部３、３の中央部に表示器１が螺着されている。スピーカーボックス２、２の表示器１を挟んで対向する側面間の距離は、表示器１の横幅よりも広くなるように決めると良い。ここで表示器１の表示面の法線方向のうち、表示器１の表示面から背面部１１へ向かう方向を奥方向、背面部１１から表示面へ向かう方向を手前方向と定義する。
【００４７】
スピーカーボックス２、２の奥方向又は手前方向の転倒を防止すべく、脚部７、７がスピーカーボックス２、２の底面に設けられている。脚部７、７は、スピーカーボックス２、２の矩形状底面を奥方向及び手前方向に延長した形状をなし、所定の厚みを有する矩形板状に形成されている。脚部７、７の底面の四隅には、滑止め及び防振のためにゴムブッシュ７１、７１、・・が設けられている。図３に示すようにスピーカーボックス２、２の内部には、空洞２１が形成されている。スピーカーボックス２、２の前面には、スピーカー２２、２２の音波放出面が外側に向かって露出するように、スピーカー２２、２２が埋設されている。矩形状のスピーカー化粧板２３、２３は、スピーカー２２、２２の音波放出面を覆うように、スピーカーボックス２、２の前面と所定の間隔を有して略平行に設けられている。
【００４８】
スピーカーボックス２、２の背面には、金属材料等で形成される縦長矩形状のネジ板２４、２４が、埋設されている。ネジ板２４、２４のそれぞれ縦線上にネジ孔２４ａ、２４ａが形成されており、梁部３、３が螺着されている。図４は梁部３、３の螺着部分の断面構造を示す構造断面拡大図である。梁部３の両端付近に貫通孔３１が設けられている。固定ボルト５を貫通孔３１に挿通させ、ネジ板２４に設けられたネジ孔２４ａに螺合させることにより、梁部３は、ネジ板２４を介してスピーカーボックス２の背面に螺着される。
【００４９】
表示器１は、図２に示すように梁部３、３の中央部に螺着されている。図５は表示器１の螺着部分の断面構造を示す構造断面拡大図である。表示器１の背面部１１の中央部にネジ孔１１ａ、１１ａ、・・が設けられている。梁部３の中央部にネジ孔１１ａと整合する位置に、貫通孔３２が設けられている。取付ボルト６を貫通孔３２に挿通させ、ネジ孔１１ａに螺合させることにより、表示器１は梁部３に螺着される。表示器支持部は、取付ボルト６、貫通孔３２、ネジ孔１１ａ及び梁部３で構成されている。スピーカーボックス２、２及び表示器１の奥行き方向の寸法に関わらず、表示器１は表示器支持部を介してスピーカーボックス２、２の背面に支持することができる。従って、スピーカーボックス２、２の奥行き方向の寸法の削減、換言すれば薄型化が可能となる。また、表示器支持部は簡単な構造を有するため、表示器１の容易な着脱及び生産コストの低減が可能となる。
【００５０】
図２及び図３に示すように、梁部３、３の両端付近、及び固定ボルト５、５の頭部はスピーカーボックス２、２の背面から突出している。突出した梁部３、３の両端付近、及び固定ボルト５、５の頭部を覆うべく、スピーカーボックス２、２の背面に設けられる裏蓋を図６及至図９を用いて説明する。図６はスピーカーボックス２、２の背面に取付けられる裏蓋を示す模式的斜視図、図７は図６の VII−VII 線における模式的構造断面図、図８は裏蓋が取付けられた状態のスピーカーボックス２の背面を示す模式的斜視図、図９は図８のIX−IX線における模式的構造断面図である。裏蓋４、４は、図６及び図７に示すように矩形状の前面板４１が、対向する両短辺付近を残して露出されるように、略アーチ状の化粧板４２（図８参照）に覆われた構造を有する。側面には、側面板４３、４３（図６参照）が設けられており、内部に空洞４４（図７参照）が形成されている。図６に示すように前面板４１には、スピーカーボックス２の背面から突出する梁部３、３の両端付近が嵌着するように、矩形状の開口部４１ａ、４１ａが前面板４１の一長辺と接して設けられている。また、側面板４３、４３のうち、表示器１の側面と向かい合う側面板４３には、梁部３、３が突出する位置に対応して梁部３、３の矩形状断面と略同一形状の開口部４３ａ、４３ａが設けられている。前面板４１の四隅に貫通孔４１ｂ、４１ｂ、・・が設けられ、図８に示すようにボルト４７、４７・・を貫通孔４１ｂ、４１ｂ、・・に挿通させ、スピーカーボックス２、２の背面に設けられた図示しないネジ孔に螺合させることにより、裏蓋４、４はスピーカーボックス２、２の背面に螺着される。梁部３、３の両端部は、裏蓋４、４の開口部４１ａ、４１ａ及び開口部４３ａ、４３ａに嵌着し、固定ボルト５、５、・・の頭部は空洞４４に突出する（図９参照）。これにより梁部３、３及び固定ボルト５、５、・・の頭部は、化粧板４２、４２を有する裏蓋４、４で覆われるため、スピーカーボックス２、２の背面は、意匠上好ましい外観となる。
【００５１】
梁部３を追加することにより、棚部を取付けることが可能となる。図１０は棚部を示す模式的斜視図、図１１は棚部が取付けられた表示装置を示す模式的斜視図である。棚部８は、矩形状の棚板部８１及び、棚板部８１の短辺から水平に延設された矩形状の水平部８３及び垂直上向きに突設する矩形状の垂直部８２で構成されている。水平部８３と垂直部８２とは、一辺を共有したＬ字形状をなし、水平部８３の垂直部８２と共有する一片と略平行な他辺が棚板部８１の長辺の延長線上にある。垂直部８２、８２の中央部には、棚部８を梁部３に取付けるための貫通孔８２ａ、８２ａが設けられている。スピーカーボックス２、２の背面に、それぞれネジ孔２４ａをさらに設け、既に取付けられている梁部３、３と設置面との間に位置するように、設置面と略平行に架設される梁部３を追加する。追加された梁部３には、貫通孔８２ａ、８２ａと整合する位置に図示しないネジ孔が設けられている。図１１で示す取付ボルト８４、８４を貫通孔８２ａ、８２ａに挿通させ、追加された梁部３の図示しないネジ孔に螺合させることにより、棚部８が表示器１の下側に設けられた梁部３に取付けられる。
【００５２】
ここで棚板部８１の幅をスピーカーボックス２、２の表示器１を挟んで対向する側面間の距離と略同一の長さにしても良い。この場合、スピーカーボックス２、２の背面のネジ板２４、２４に図示しないネジ孔を設け、取付ボルト８４、８４を貫通孔８２ａ、８２ａに挿通させ、ネジ板２４、２４の図示しないネジ孔に螺合させる。これにより、棚部８はスピーカーボックス２、２の背面に直接取付けられる。また、棚部８を表示器１の下部に取付けた例を示したが、表示器１が取付けられた梁部３、３が螺着されているネジ孔２４ａ、２４ａ、・・の設置面からの高さを下げて設け、棚部８を表示器１の上部に取付けてもよい。
【００５３】
以上の実施の形態１においては、梁部３、３は、固定ボルト５、５、・・を貫通孔３１、３１、・・に貫通させ、ネジ孔２４ａ、２４ａ、・・に螺合してスピーカーボックス２、２の背面に螺着される場合を示したが、これに限るものではなく他の螺着手段であっても良い。図１２は梁部３、３の他の螺着手段を示す模式的構造断面図である。ネジ板２４にネジ山が形成された円柱２４ｂ、２４ｂ、・・が突設されている。円柱２４ｂを梁部３の貫通孔３１に挿通させ、固定ナット１０を円柱２４ｂに螺合させて、梁部３をスピーカーボックス２の背面に螺着することができる。
【００５４】
表示器１は、梁部３、３の中央部に螺着される手段を示したが、これに限るものではなく他の固定方法であっても良い。図１３は表示器１を梁部３に固定する他の手段を示す模式的構造断面図である。梁部３に、先端に屈曲部を有するフック部３３が一体成型によって形成されている。表示器１の背面部１１には、フック部３３が引っ掛り可能な引掛孔１１ｂが設けられている。フック部３３の先端部分は、引掛孔１１ｂに挿通可能な寸法に形成されている。フック部３３の先端を引掛孔１１ｂに挿通させ、先端の屈曲部を表示器１の背面部１１の裏面に引掛けることにより、表示器１を梁部３に固定する。引掛孔１１ｂとして、従来から表示器１の背面部１１に設けられている壁掛け用取付穴を利用してもよい。
【００５５】
棚部８を取付けた場合に、スピーカーボックス２、２の背面から突出する棚板部８１の一部、取付ボルト８４、８４の頭部及び、追加した梁部３が嵌着する開口部を設けた裏蓋４と同様な裏蓋をスピーカーボックス２、２の背面を覆うように設けることにより、意匠上好ましい外観を有するようにしても良い。裏蓋４、４は、スピーカーボックス２、２の背面の一部を覆う形状を示したが、背面全面を覆う形状でもよい。また、表示器１の背面部１１、梁部３、３及びスピーカーボックス２、２の背面を覆う一体型の裏蓋でもよい。脚部７、７に取付けられたゴムブッシュ７１、７１・・の代わりにストッパーつきのキャスターを設けて表示装置を容易に移動可能にしても良い。
【００５６】
実施の形態２
図１４は実施の形態２における裏蓋４を外した状態の表示装置を示す模式的背面図、図１５は実施の形態２における裏蓋４を示す模式的構造断面図、図１６は実施の形態２における裏蓋４を取付けたスピーカーボックス２を示す模式的構造断面図、図１７は実施の形態２における裏蓋４を取付けた状態のスピーカーボックス２の背面を示す模式的斜視図、図１８は裏蓋４を取付けた状態のスピーカーボックス２の背面を示す模式的斜視図である。
【００５７】
図１４に示すように、ネジ板２４、２４には、複数のネジ孔２４ａ、２４ａ、・・、が縦線上に等間隔に形成されている。梁部３、３が螺着されるネジ孔２４ａ、２４ａ、・・を他の位置のネジ孔２４ａ、２４ａ、・・に変更することにより、梁部３、３の設置面からの高さ、換言すれば表示器１の設置面からの高さを容易に変更することが可能となる。
【００５８】
図１８に示すようにスピーカーボックス２、２の背面には裏蓋４、４が設けられている。この裏蓋４、４は図８で示した裏蓋を、上下に延長した形状をなし、前面板４１、４１がスピーカーボックス２、２の背面全体を覆うように形成されている。図１５に示すように前面板４１、４１には、スピーカーボックス２、２の背面に設けられた全ての複数のネジ孔２４ａ、２４ａ、・・を覆う矩形板状の弾性部材４８、４８が埋設されている。図１５及び図１７に示すように、弾性部材４８、４８には、スピーカーボックス２、２の背面から突出する梁部３、３の両端部が嵌着するように、矩形状開口部４８ａ、４８ａ、・・が設けられている。ここで図１７は、説明のため化粧板４２及び側面板４３、４３の図示を省略している。図１６に示すように裏蓋４、４をスピーカーボックス２、２の背面に取付けた場合、スピーカーボックス２、２の背面に位置する梁部３、３の両端付近は開口部４８ａ、４８ａ、・・に嵌着し、固定ボルト５、５、・・の頭部は裏蓋４、４内部の空洞４４、４４に突出する。裏蓋４、４が設けられていない場合、固定ボルト５、５、・・が螺合していないネジ孔２４ａ、２４ａ、・・は、開口状態となっており、スピーカーボックス２、２内部の空洞２１、２１は、外部に向けて露出された状態となっている。裏蓋４、４をスピーカーボックス２、２の背面に取付けることによって、固定ボルト５、５、・・が螺合されていないネジ孔２４ａ、２４ａ、・・の開口周縁に、弾性部材４８、４８の開口部４８ａ、４８ａ、・・が設けられていない部分が気密に当接する。裏蓋４、４を取付けることにより、スピーカーボックス２、２内部の空洞２１、２１の気密状態は維持されるため、複数のネジ孔２４ａ、２４ａ、・・を設けたことによるスピーカーボックス２、２の音質に与える影響が抑えられる。
【００５９】
図１８に示すように、側面板４３から突出する梁部３、３の一方に接するように、側面板４３にケーブル挿通孔４３ｂが形成されている。表示器１とスピーカーボックス２、２とを接続する音声ケーブル等は、梁部３に沿って延び、ケーブル挿通孔４３ｂ、４３ｂを挿通して、スピーカーボックス２、２の内部に引き込まれ、スピーカー２２、２２、・・に接続される。表示器１の電源ケーブル及び表示器１と他の機器類とを接続する信号ケーブル等は、梁部３に沿ってスピーカーボックス２、２のいずれか一方に向って延び、ケーブル挿通孔４３ｂを通って片方のスピーカーボックス２の内部に引き込まれる。引き込まれた電源ケーブル及び信号ケーブル等は、裏蓋４の下端部に形成されたケーブル挿通孔４２ａを挿通させて設置面に引き出され外部電源又は他の機器類に接続される。
【００６０】
音声ケーブル等を梁部３、３に沿って配線し、裏蓋４、４内に収納し、スピーカーボックス２、２と接続することで、意匠上好ましい外観を有することが可能となる。また、表示器１の背面部１１にも裏蓋を設けて、梁部３、３及び取付ボルト６、６、・・を覆うようにしても良い。さらに、裏蓋４、４をスピーカーボックス２、２の背面に取付ける場合に、容易に開口部４８ａ、４８ａを設けるべく、弾性部材４８、４８にミシン目を設けても良い。図１９はミシン目を設けた弾性部材４８、４８を備える裏蓋４、４を示す模式的斜視図であり、説明のため化粧板４２及び側面板４３、４３の図示を省略している。弾性部材４８、４８には、全てのネジ孔２４ａ、２４ａ、・・に対応して矩形状開口部を設けるべくミシン目４８ｂが設けられ、区画化されている。梁部３、３を取付けるネジ孔２４ａ、２４ａ、・・を選択した場合に、対応するミシン目４８ｂに沿って切り取ることにより、容易に開口部４８ａ、４８ａ、・・を形成することができる。
【００６１】
本実施の形態２は以上の如き構成としてあり、その他の構成及び作用は実施の形態１と同様であるので対応する部分には同一の参照番号を付してその詳細な説明を省略する。
【００６２】
実施の形態３
図２０は実施の形態３における首振り部を示す模式的斜視図、図２１は図２０の XXI−XXI 線における模式的構造断面図、図２２は図２０のXXII−XXII線における模式的構造断面図、図２３は実施の形態３における首振り部を備えた表示装置の模式的平面図である。
【００６３】
図２０中９は、表示器１の首振り角度を調整する首振り部である。首振り部９、９は、それぞれスピーカーボックス２、２の底面から鉛直下方向に延びる軸部９５、案内孔９２ａを有する矩形板状の案内板９２、及び案内板９２と略同一寸法の矩形状をなし所定の厚さを有する台座板部９３で構成されている。台座板部９３、９３は実施の形態１における脚部７、７の代わりに設けられている。図２３に示すように首振り部９、９は、スピーカーボックス２、２の底面の下側に台座板部９３、９３の長辺が互いに略平行となるよう設けられている。台座板部９３、９３には、それぞれ図２１に示すように溝部９３ａが設けられており、底面四隅にはゴムストッパー９１、９１、・・が設けられている。案内板９２は、台座板部９３の溝部９３ａを覆うように、台座板部９３の上面に設けられ、四隅をネジ９４、９４、・・によって螺着されている。ここで図２３に示すように軸部９５、９５のそれぞれ中心を結ぶ線分をａ、線分ａの中点をｂとする。また、台座板部９３、９３の表示器１を挟んで対向する長辺の中点を結ぶ線分をｃとする。案内孔９２ａ、９２ａ及び溝部９３ａ、９３ａは、中点ｂを首振り動作の中心とし、軸部９５、９５間距離を直径とした平面視円弧上にあり、首振り動作の中心ｂの対称位置にそれぞれ形成されている。
【００６４】
図２２に示すように軸部９５、９５の上面の中心にネジ部９５ｃ、９５ｃが突設されており、底面の中心にネジ孔９５ｄ、９５ｄが形成されている。スピーカーボックス２、２の底面中央には、ネジ孔２５、２５が形成されている。軸部９５、９５のネジ部９５ｃ、９５ｃは、ネジ孔２５、２５に螺着されている。軸部９５、９５は、案内孔９２ａ、９２ａに挿通される。円板状のストッパー９５ｂ、９５ｂが、ネジ９５ａ、９５ａをストッパー９５ｂ、９５ｂの中心に形成された図示しない貫通孔に挿通させ、ネジ孔９５ｄ、９５ｄに螺着させることで軸部９５、９５の底面に取付けられている。ストッパー９５ｂ、９５ｂは、案内孔９２ａ、９２ａの幅よりも長い直径及び溝部９３ａ、９３ａの幅よりも短い直径を有し、軸部９５、９５が案内孔９２ａ、９２ａに沿って摺動する場合に、溝部９３ａ、９３ａ内を移動可能に形成されると共に、軸部９５、９５が案内孔９２ａ、９２ａから上方に向かって離脱することを防ぐ。
【００６５】
図２１に示すようにスピーカーボックス２、２の底面には、それぞれ軸部９５の中心軸を囲むように４箇所に半円球状の凹部２９、２９、・・が配設されている。凹部２９、２９、・・には、金属又は樹脂等で形成される面支持球９６、９６、・・の一部が嵌着するように設けられ、案内板９２、９２の上面と接している。この面支持球９６、９６、・・によって、スピーカーボックス２、２の底面が支持され、軸部９５、９５が案内孔９２ａ、９２ａ内を摺動する場合、スムーズな移動が可能となっている。
【００６６】
続いて、軸部９５、９５が案内孔９２ａ、９２ａ内を摺動し、表示器１の表示面の角度が調整される状態について図２３を用いて説明する。図中白抜矢印は、ユーザが表示器１の画面に向かう方向に対応する。まず、図中白抜矢印で示す方向に臨んで右側に位置する軸部９５を白抜矢印方向へ案内孔９２ａ内を摺動させると共に、白抜矢印方向に臨んで左側に位置する軸部９５を白抜矢印反対方向へ摺動させる。ここで、表示器１の画面の法線と線分ｃがなす角度をθとする。角度θは、ユーザに対する画面の左右角度に対応する。上記で示した軸部９５、９５の摺動により、中点ｂを通り、鉛直方向に延びる線分を軸とする表示器１の左回りの回動運動が得られ、表示面の左右角度θが増大する。反対方向に回動させθを減少させるためには、図中白抜矢印で示す方向に臨んで右側に位置する軸部９５を白抜矢印反対方向へ案内孔９２ａ内を摺動させると共に、白抜矢印方向に向かって左側に位置する軸部９５を白抜矢印方向へ摺動させると良い。
【００６７】
スピーカーボックス２、２は、表示器１の表示面とともに回動運動を行うため、画面の角度θを調整する場合に、スピーカー２２、２２の音波放出面の左右角度と画面の左右角度とが常に一致した状態で回動動作が行われる。本実施の形態においては面支持球９６、９６を用いたが、金属又は樹脂等の表面が滑らかな半球形状の面支持部を案内板９２、９２の上面に突設し、凹部２９、２９、・・を設けず、頂点がスピーカーボックス２、２の底面と接するように配置しても良い。
【００６８】
本実施の形態３は以上の如き構成としてあり、その他の構成及び作用は実施の形態１及び２と同様であるので対応する部分には同一の参照番号を付してその詳細な説明を省略する。
【図面の簡単な説明】
【００６９】
【図１】実施の形態１における表示装置の正面を示す模式的斜視図である。
【図２】実施の形態１における表示装置の背面を示す模式的斜視図である。
【図３】図２の III−III 線における模式的構造断面図である。
【図４】実施の形態１における梁部の螺着部分の断面構造を示す構造断面拡大図である。
【図５】実施の形態１における表示器の螺着部分の断面構造を示す構造断面拡大図である。
【図６】実施の形態１におけるスピーカーボックスの背面に取付けられる裏蓋を示す模式的斜視図である。
【図７】図６の VII−VII 線における模式的構造断面図である。
【図８】実施の形態１における裏蓋が取付けられた状態のスピーカーボックスの背面を示す模式的斜視図である。
【図９】図８のIX−IX線における模式的構造断面図である。
【図１０】実施の形態１における棚部を示す模式的斜視図である。
【図１１】実施の形態１における棚部が取付けられた表示装置を示す模式的斜視図である。
【図１２】実施の形態１における梁部の他の螺着手段を示す模式的構造断面図である。
【図１３】実施の形態１における表示器を梁部に固定する他の手段を示す模式的構造断面図である。
【図１４】実施の形態２における裏蓋を外した状態の表示装置を示す模式的背面図である。
【図１５】実施の形態２における裏蓋を示す模式的構造断面図である。
【図１６】実施の形態２における裏蓋を取付けたスピーカーボックスを示す模式的構造断面図である。
【図１７】実施の形態２における裏蓋を取付けた状態のスピーカーボックスの背面を示す模式的斜視図である。
【図１８】実施の形態２における裏蓋を取付けた状態のスピーカーボックスの背面を示す模式的斜視図である。
【図１９】実施の形態２におけるミシン目を設けた弾性部材を備える裏蓋を示す模式的斜視図である。
【図２０】実施の形態３における首振り部を示す模式的斜視図である。
【図２１】図２０の XXI−XXI 線における模式的構造断面図である。
【図２２】図２０のXXII−XXII線における模式的構造断面図である。
【図２３】実施の形態３における首振り部を備えた表示装置の模式的平面図である。
【符号の説明】
【００７０】
１  表示器
２  スピーカーボックス
３  梁部
４  裏蓋
９  首振り部
１１  背面部
１１ａ  ネジ孔
２４  ネジ板
２４ａ  ネジ孔
４２ａ  ケーブル挿通孔
４３ｂ  ケーブル挿通孔
４８  弾性部材
９３  台座板部
９２ａ  案内孔
９５  軸部
【図１】
2008098779.tif 000003
【図２】
2008098779.tif 000004
【図３】
2008098779.tif 000005
【図４】
2008098779.tif 000006
【図５】
2008098779.tif 000007
【図６】
2008098779.tif 000008
【図７】
2008098779.tif 000009
【図８】
2008098779.tif 000010
【図９】
2008098779.tif 000011
【図１０】
2008098779.tif 000012
【図１１】
2008098779.tif 000013
【図１２】
2008098779.tif 000014
【図１３】
2008098779.tif 000015
【図１４】
2008098779.tif 000016
【図１５】
2008098779.tif 000017
【図１６】
2008098779.tif 000018
【図１７】
2008098779.tif 000019
【図１８】
2008098779.tif 000020
【図１９】
2008098779.tif 000021
【図２０】
2008098779.tif 000022
【図２１】
2008098779.tif 000023
【図２２】
2008098779.tif 000024
【図２３】
2008098779.tif 000025